(57)【要約】【課題】チャンネル選局が紛らわしくなることなく、特定のユーザ以外の他のユーザによって所定のチャンネルが選局されないように管理することが可能な表示装置を提供する。【解決手段】この表示装置（テレビジョン装置１）は、チャンネルのシークレット選局情報を含む１つのチャンネルリストデータに基づいて選局する入力部８およびリモコン５０と、所定のチャンネルが入力部８およびリモコン５０によって選局されないように、または、選局されるように、所定のチャンネルのシークレット選局情報を切り替えることが可能なシークレット選局機能を有する制御部６とを備え、特定のユーザのみが、所定のチャンネルが入力部８およびリモコン５０によって選局されないように、または、選局されるように、シークレット選局情報を切り替え可能なように、制御部６が管理可能なように構成されている。【選択図】図１
2009017095.tif 000002
【特許請求の範囲】
【請求項１】
テレビジョン放送信号に基づく映像を表示する表示部と、
前記表示部に表示するチャンネルを、前記チャンネルの選局情報を含む１つのチャンネルリストに基づいて選局するように構成された選局手段と、
前記１つのチャンネルリストに含まれるチャンネルのうち、所定のチャンネルが前記選局手段によって選局されないように、または、選局されるように、前記１つのチャンネルリストの前記所定のチャンネルの選局情報を切り替えることが可能な選局制限機能を有する制御部とを備え、
特定のユーザのみが、所定のチャンネルが前記選局手段によって選局されないように、または、選局されるように、前記１つのチャンネルリストの前記所定のチャンネルの選局情報を切り替え可能なように、前記制御部が管理可能なように構成されている、表示装置。
【請求項２】
前記制御部は、前記選局制限機能によって選局されないように切り替えられた前記所定のチャンネルを一時的に選局することが可能なように前記選局制限機能を解除することが可能に構成されている、請求項１に記載の表示装置。
【請求項３】
装置本体の電源をオン状態およびオフ状態に切り替えるための電源部をさらに備え、
前記選局制限機能によって、前記選局手段により選局されないように切り替えられた前記所定のチャンネルを一時的に選局することが可能なように前記選局制限機能が解除された後、前記電源部により前記装置本体の電源がオフ状態に切り替えられた場合、または、前記選局制限機能によって選局されないように切り替えられた前記所定のチャンネル以外のチャンネルが選局されて所定の時間が経過した場合には、前記制御部は、前記選局制限機能の解除を取り消し、前記所定のチャンネルが前記選局手段によって選局されないように前記チャンネルリストの前記所定のチャンネルの選局情報を切り替えるように構成されている、請求項２に記載の表示装置。
【請求項４】
特定のユーザのみが、前記所定のチャンネルが前記選局手段によって選局されないように、または、選局されるように、前記１つのチャンネルリストの前記所定のチャンネルの選局情報を切り替え可能なように、前記制御部は、パスワードによって管理可能なように構成されている、請求項１〜３のいずれか１項に記載の表示装置。
【請求項５】
前記テレビジョン放送信号を受信する受信部をさらに備え、
前記選局手段によって選局されないように前記選局情報が切り替えられた前記所定のチャンネルを、ユーザが前記表示部に表示するように選択した場合には、前記表示部は、前記受信部が前記所定のチャンネルの前記テレビジョン放送信号を受信していない場合と同様に表示するように構成されている、請求項１〜４のいずれか１項に記載の表示装置。
【発明の詳細な説明】
【技術分野】
【０００１】
この発明は、表示装置に関し、特に、テレビジョン放送のチャンネルを選局可能な表示装置に関する。
【背景技術】
【０００２】
従来、テレビジョン放送のチャンネルを選局可能な表示装置などの電子機器が知られている（たとえば、特許文献１〜３参照）。
【０００３】
上記特許文献１に記載のデジタル放送受信機は、チャンネルのプリセットのために第１メモリグループおよび第２メモリグループの２つの独立したメモリグループ（チャンネルリスト）を備え、１つのプリセットキー（選局ボタン）に対して、それぞれのグループに別々のチャンネルを登録することが可能なように構成されている。また、このデジタル放送受信機では、所定のチャンネルを第２メモリグループに登録するとともに、第２メモリグループに登録された所定のチャンネルを特定のユーザのみが選局可能なように、パスワードによって管理されている。
【０００４】
上記特許文献２に記載のデジタル放送受信機は、複数のユーザがそれぞれ別々の割り当てチャンネルリストを用いることによって、各ユーザが自分に適した（自分専用の）割り当てチャンネルリストを用いることができるように構成されている。また、各ユーザは、視聴開始前に自分に適した割り当てチャンネルリストを選択することが可能であるとともに、自分に適した割り当てチャンネルリストを用いることによって、能率的にチャンネルを選局することが可能である。
【０００５】
上記特許文献３に記載の録画装置は、テレビ番組を録画中である旨の表示をして録画する通常録画処理と、録画中である旨の表示をせずに電源オフ状態であるときと同様の表示をして録画するシークレット録画処理とを行うことが可能なように構成されている。これにより、この録画装置では、他のユーザに知られることなくテレビ番組を録画することが可能である。
【０００６】
【特許文献１】特開２００１−３３９６４９号公報
【特許文献２】特開平１０−３１３４３４号公報
【特許文献３】特開２００６−４１８８９号公報
【発明の開示】
【発明が解決しようとする課題】
【０００７】
しかしながら、上記特許文献１のデジタル放送受信機では、１つのプリセットキー（選局ボタン）に対して、第１メモリグループおよび第２メモリグループの２つの別々のチャンネルが登録されるので、ユーザがプリセットキーによりチャンネルを選局する際に、現在いずれのメモリグループが使用されているかを認識していない場合には、ユーザが希望するチャンネルとは違った他方のメモリグループに登録されたチャンネルが誤って選局されてしまう可能性がある。すなわち、このデジタル放送受信機では、所定のチャンネルを特定のユーザのみが選局可能なように管理することが可能である一方、チャンネル選局が紛らわしくなるという問題点がある。
【０００８】
また、上記特許文献２のデジタル放送受信機では、各ユーザが自分に適した割り当てチャンネルリストを用いることによって、能率的にチャンネルを選局することが可能である一方で、他のユーザによって所定のチャンネルが選局されないように管理することができないという問題点がある。
【０００９】
また、上記特許文献３の録画装置では、他のユーザに知られることなくテレビ番組を録画することが可能である一方で、他のユーザによって所定のチャンネルが選局されないように管理することができないという問題点がある。
【００１０】
この発明は、上記のような課題を解決するためになされたものであり、この発明の１つの目的は、チャンネル選局が紛らわしくなることなく、特定のユーザ以外の他のユーザによって所定のチャンネルが選局されないように管理することが可能な表示装置を提供することである。
【課題を解決するための手段および発明の効果】
【００１１】
この発明の一の局面による表示装置は、テレビジョン放送信号に基づく映像を表示する表示部と、表示部に表示するチャンネルを、チャンネルの選局情報を含む１つのチャンネルリストに基づいて選局するように構成された選局手段と、１つのチャンネルリストに含まれるチャンネルのうち、所定のチャンネルが選局手段によって選局されないように、または、選局されるように、１つのチャンネルリストの所定のチャンネルの選局情報を切り替えることが可能な選局制限機能を有する制御部とを備え、特定のユーザのみが、所定のチャンネルが選局手段によって選局されないように、または、選局されるように、１つのチャンネルリストの所定のチャンネルの選局情報を切り替え可能なように、制御部が管理可能なように構成されている。
【００１２】
この一の局面による表示装置では、上記のように、表示部に表示するチャンネルを、チャンネルの選局情報を含む１つのチャンネルリストに基づいて選局するように構成された選局手段と、１つのチャンネルリストに含まれるチャンネルのうち、所定のチャンネルが選局手段によって選局されないように、または、選局されるように、１つのチャンネルリストの所定のチャンネルの選局情報を切り替えることが可能な選局制限機能を有する制御部とを設けることによって、別個のチャンネルリストを設けることなく、１つのチャンネルリストで所定のチャンネルを選局されないように、または、選局されるように切り替えることができる。これにより、選局手段を複数のチャンネルリストに対応させる必要がなく、選局手段は１つのチャンネルリストに対応するだけであるので、ユーザが選局手段によりチャンネルを選局する際に、チャンネル選局が紛らわしくならない。また、特定のユーザのみが、所定のチャンネルが選局手段によって選局されないように、または、選局されるように、１つのチャンネルリストの所定のチャンネルの選局情報を切り替え可能なように、制御部が管理可能なように構成することによって、特定のユーザ以外の他のユーザはチャンネルの選局情報を切り替えることができないので、特定のユーザが所定のチャンネルが選局されないように選局情報を切り替えた場合には、特定のユーザ以外の他のユーザは、所定のチャンネルが選局されるように切り替えることができない。その結果、所定のチャンネルを選局することができない。したがって、この表示装置では、チャンネル選局が紛らわしくなることなく、特定のユーザ以外の他のユーザが所定のチャンネルを選局することができないように管理することができる。
【００１３】
上記一の局面による表示装置において、好ましくは、制御部は、選局制限機能によって選局されないように切り替えられた所定のチャンネルを一時的に選局することが可能なように選局制限機能を解除することが可能に構成されている。このように構成すれば、特定のユーザは、選局されないように切り替えた所定のチャンネルの選局情報を、再度選局されるように切り替えるための操作を行うことなく、一時的に選局することができるようにすることができる。
【００１４】
この場合、好ましくは、装置本体の電源をオン状態およびオフ状態に切り替えるための電源部をさらに備え、選局制限機能によって、選局手段により選局されないように切り替えられた所定のチャンネルを一時的に選局することが可能なように選局制限機能が解除された後、電源部により装置本体の電源がオフ状態に切り替えられた場合、または、選局制限機能によって選局されないように切り替えられた所定のチャンネル以外のチャンネルが選局されて所定の時間が経過した場合には、制御部は、選局制限機能の解除を取り消し、所定のチャンネルが選局手段によって選局されないようにチャンネルリストの所定のチャンネルの選局情報を切り替えるように構成されている。このように構成すれば、選局制限機能が一時的に解除された後、電源がオフ状態に切り替えられた場合、または、ユーザが所定のチャンネルから他のチャンネルに切り替えて所定時間が経過した場合には、ユーザが所定のチャンネルが選局されないように切り替える操作を行うことなく、所定のチャンネルが選局されないように制御部によって選局情報が自動的に切り替えられる。これにより、ユーザが、選局制限機能を一時的に解除した後、再度所定のチャンネルが選局されないように選局情報を切り替える操作をするのを忘れた場合でも、他のユーザが所定のチャンネルを選局することができないように自動的に切り替えることができる。
【００１５】
上記一の局面による表示装置において、好ましくは、制御部は、特定のユーザのみが、所定のチャンネルが選局手段によって選局されないように、または、選局されるように、１つのチャンネルリストの所定のチャンネルの選局情報を切り替え可能なように、パスワードによって管理可能に構成されている。このように構成すれば、簡易な管理手段であるパスワードによって、特定のユーザのみが所定のチャンネルの選局情報を切り替え可能なように管理することができる。
【００１６】
上記一の局面による表示装置において、好ましくは、テレビジョン放送信号を受信する受信部をさらに備え、選局手段によって選局されないように選局情報が切り替えられた所定のチャンネルを、ユーザが表示部に表示するように選択した場合には、表示部は、受信部が所定のチャンネルのテレビジョン放送信号を受信していない場合と同様に表示するように構成されている。このように構成すれば、所定のチャンネルが選局されないように選局情報を切り替えた特定のユーザ以外の他のユーザが、所定のチャンネルを表示するように選択した場合にも、テレビジョン放送信号を受信していないものとして表示されるので、他のユーザに、その所定のチャンネルの内容のみならず、存在すら気付かせないようにすることができる。
【発明を実施するための最良の形態】
【００１７】
以下、本発明を具体化した実施形態を図面に基づいて説明する。
【００１８】
図１は、本発明の一実施形態によるテレビジョン装置の構成を説明するためのブロック図である。また、図２〜図８は、図１に示した本発明の一実施形態によるテレビジョン装置の詳細な構成を説明するための図である。まず、図１〜図８を参照して、本発明の一実施形態によるテレビジョン装置１の構成について説明する。なお、本実施形態では、表示装置の一例であるテレビジョン装置１に本発明を適用した場合について説明する。
【００１９】
図１に示すように、テレビジョン装置１は、テレビアンテナ２０を介してデジタル放送に対応したテレビジョン信号を受信するチューナユニット２と、パーソナルコンピュータ３０やＤＶＤプレーヤ４０などの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、チューナユニット２および外部入力基板３から入力される複数の信号から特定の信号を選択して表示部４に出力するＡＶスイッチ５と、テレビジョン装置１の各部を制御する制御部（ＣＰＵ）６とを備えている。なお、チューナユニット２は、本発明の「受信部」の一例である。
【００２０】
また、テレビジョン装置１は、表示部４に表示される映像に重ねて文字情報を表示することが可能なＯＳＤ（Ｏｎ  Ｓｃｒｅｅｎ  Ｄｉｓｐｌａｙ）機能を有するＯＳＤ出力部７と、テレビジョン装置１のボリュームの変更、チャンネルの選択、および、設定の変更などを行うための複数のボタン８ａを有する入力部８を備えている。また、入力部８は、リモコン５０からの信号を受信する受信部８ｂを含んでいる。このリモコン５０によっても、上記ボリュームの変更、チャンネルの選択を行うことが可能である。この入力部８またはリモコン５０による信号は、制御部６に入力され、制御部６は、その信号に基づいて、所定の処理を行うようにテレビジョン装置１の各部を制御するように構成されている。また、入力部８およびリモコン５０は、後述のＥＥＰＲＯＭ９に記憶されたチャンネルリストデータに基づいて、ユーザが選択したチャンネルを選局するように構成されている。なお、チャンネルの選局とは、チャンネルを選択するのみならず、そのチャンネルに対応するテレビジョン信号に基づく映像を表示部４に表示させることを含む意味である。また、入力部８およびリモコン５０は、本発明の「選局手段」の一例である。
【００２１】
チューナユニット２は、テレビジョン装置１が有するオートプリセット機能によって、所定地域において視聴可能なチャンネルのテレビジョン信号を検出し、各種情報を取得するように構成されている。また、ユーザが有料チャンネルの契約を行っている場合には、テレビジョン装置１は、視聴制限を解除して、有料チャンネルの各種情報を取得するように構成されている。この取得されたチャンネルの各種情報は、制御部６によってＥＥＰＲＯＭ９のチャンネルリスト記憶領域９ａに記憶された１つのチャンネルリストデータに書き込まれる。なお、オートプリセット機能とは、テレビジョン装置１が設置される地域を選択するだけで、自動的に視聴可能なチャンネルを受信可能な状態にセットする機能である。また、チューナユニット２は、ユーザがチャンネルを選択した場合には、制御部６からの指示に基づいて、対応するテレビジョン信号の受信を行うとともに、その結果得た信号を制御部６を介してＡＶスイッチ５に出力するように構成されている。
【００２２】
また、表示部４は、ＡＶスイッチ５から入力されたテレビジョン信号および外部機器からの信号に基づく映像を表示するとともに、ＯＳＤ出力部７から入力される文字情報を、映像に重ねて表示するように構成されている。
【００２３】
また、ＡＶスイッチ５は、チューナユニット２および外部入力基板３から入力される複数の信号から特定の信号を選択するように、制御部６によって制御される。
【００２４】
また、制御部６は、ＥＥＰＲＯＭ９の設定情報記憶領域９ｂに記憶された各種設定情報、および、ＲＯＭ１０に記憶されたプログラムに従ってテレビジョン装置１の制御を行うように構成されている。各種設定情報には、たとえば、表示部４における表示に関する設定などが含まれる。具体的には、キャプション（字幕）の設定、および、言語の設定などである。これらの設定情報は、工場出荷時においては、テレビジョン装置１の標準的な使用態様に対応する設定状態（初期設定状態）に設定されている。また、ＥＥＰＲＯＭ９は、データの書込および消去が可能であり、入力部８などによりユーザが設定情報を変更する毎に、変更後の設定情報がＥＥＰＲＯＭ９に書き込まれる。
【００２５】
ここで、本実施形態では、制御部６は、ＥＥＰＲＯＭ９のチャンネルリスト記憶領域９ａに記憶されたチャンネルリストデータに含まれるチャンネルのうち、所定のチャンネルが入力部８およびリモコン５０によって選局されないように、または、選局されるように、チャンネルリストデータのシークレット選局情報を切り替えることが可能なシークレット選局機能を有している。具体的には、制御部６は、シークレット選局機能によって、ＥＥＰＲＯＭ９のチャンネルリスト記憶領域９ａに記憶されたチャンネルリストデータに含まれるチャンネルのうち、所定のチャンネルが入力部８およびリモコン５０によって選局されないようにチャンネルリストデータのシークレット選局情報をオン設定に書き換えるとともに、所定のチャンネルが入力部８およびリモコン５０によって選局されるようにチャンネルリストデータのシークレット選局情報をオフ設定に書き換えることが可能なように構成されている。このシークレット選局情報は、チューナユニット２が取得したチャンネルの各種情報とともに、チャンネルリストデータに含まれる情報であり、ユーザが任意に、所定のチャンネルが選局されないように、または、選局されるように切り替えることが可能である。なお、シークレット選局情報は、いずれのチャンネルについても、初期設定状態ではオフ設定になっている。
【００２６】
また、制御部６は、特定のユーザのみが、所定のチャンネルが選局されないように、または、選局されるように切り替えて設定することが可能なように、ユーザによって登録される４桁のシークレット選局機能用のパスワードによって管理することが可能なように構成されている。また、このパスワードは、ＥＥＰＲＯＭ９のパスワード記憶領域９ｃに記憶されている。これにより、パスワードを知らない特定のユーザ以外の他のユーザは、所定のチャンネルが入力部８およびリモコン５０によって選局されないように切り替え設定することができないとともに、選局されないように設定されている所定のチャンネルが選局されるように切り替え設定することもできない。このため、特定のユーザは、他のユーザに知られたくないチャンネルを、入力部８およびリモコン５０によって選局されないように設定することで、他のユーザがそのチャンネルを選局することができないように設定することが可能である。
【００２７】
また、制御部６は、シークレット選局機能を一時的に解除することが可能なように構成されている。シークレット選局機能が一時的に解除された場合には、入力部８およびリモコン５０によって選局されないように設定された所定のチャンネルを一時的に選局することが可能になる。また、制御部６は、シークレット選局機能が一時的に解除された際は、ユーザによる指示がない場合であっても、解除を取り消し、再度所定のチャンネルが入力部８およびリモコン５０によって選局されないように設定するように構成されている。具体的には、制御部６は、シークレット選局機能が一時的に解除された後、電源部１１によりテレビジョン装置１の電源がオン状態からオフ状態に切り替えられた場合には、シークレット選局機能の解除を取り消し、再度所定のチャンネルが入力部８およびリモコン５０によって選局されないように設定するように構成されている。さらに、制御部６は、シークレット選局機能が一時的に解除された後、入力部８およびリモコン５０によって選局されないように設定された所定のチャンネル以外のチャンネルがユーザにより選局されて、所定時間が経過した場合にも、シークレット選局機能の解除を取り消し、再度所定のチャンネルが入力部８およびリモコン５０によって選局されないように設定するように構成されている。これにより、ユーザが、シークレット選局機能を一時的に解除した後、再度所定のチャンネルが選局されないように設定するのを忘れた場合でも、再度所定のチャンネルが選局されないように自動的に設定される。
【００２８】
また、図２に示すように、制御部６は、ユーザからの指示に基づいて、設定画面４ａを表示させるように表示部４を制御するように構成されている。ユーザは、この設定画面４ａから、各種設定を変更することが可能である。この設定画面４ａにおいて、シークレット選局機能設定のオンボタンが選択された場合には、図３に示すように、シークレット選局機能用のパスワード入力画面４ｂが表示部４に表示される。なお、シークレット選局機能用のパスワードが登録されていない場合には、図４に示すように、パスワードの登録を促すパスワード登録画面４ｃが表示される。パスワード入力画面４ｂにおいて、登録されているパスワードが正しく入力されて、ＯＫボタンが選択された場合には、図５に示すように、シークレット選局設定画面４ｄが表示される。シークレット選局設定画面４ｄには、ユーザが各チャンネルのシークレット選局機能をオン設定またはオフ設定に切り替えることが可能なように、チャンネルが一覧表示される。シークレット選局設定画面４ｄにおいて、ユーザがシークレット選局機能をオン設定またはオフ設定に切り替えて、更新ボタンを選択した場合には、チャンネルリスト記憶領域９ａに記憶されているチャンネルリストデータのシークレット選局情報がユーザの指示に基づいて制御部６により書き換えられる。
【００２９】
また、図６に示すように、設定画面４ａにおいて、シークレット選局機能設定のオフボタンが選択された場合には、シークレット選局設定画面４ｄ（図５参照）でシークレット選局機能がオン設定にされているか、オフ設定にされているかにかかわらず、全てのチャンネルに対してシークレット選局機能がオフ設定状態になるようにチャンネルリストデータのシークレット選局情報が書き換えられる。すなわち、設定画面４ａにおいて、ユーザによってシークレット選局機能設定のオフボタンが選択された場合には、チャンネルリストデータに含まれる全てのチャンネルが選局されるようになる。
【００３０】
また、図７に示すように、設定画面４ａにおいて、シークレット選局機能設定の一時解除ボタンが選択された場合には、シークレット選局機能が一時的に解除される。
【００３１】
また、テレビジョン装置１は、チャンネルの選局方法として、入力部８のボタン８ａまたはリモコン５０により直接チャンネル番号を入力して選択するダイレクト選局と、チャンネル番号順に順次チャンネルを切り替えて選択するアップダウン選局とが可能なように構成されている。ユーザが、シークレット選局機能がオン設定状態にされている所定のチャンネルを、直接チャンネル番号を入力することによって選択した場合には、チューナユニット２がテレビジョン信号を受信していない場合と同様に表示部４に表示される。具体的には、図８に示すように、実際にはチューナユニット２は選択されたチャンネルのテレビジョン信号を受信しているにもかかわらず、表示部４にはテレビジョン信号が受信されていないように表示される。これにより、シークレット選局機能をオン設定状態に切り替えた特定のユーザ以外の他のユーザが所定のチャンネルを表示するように選択した場合にも、他のユーザには所定のチャンネルの内容のみならず、その所定のチャンネルが存在することすら気付かせないことが可能である。また、アップダウン選局によりチャンネルを選択する場合には、シークレット選局機能がオン設定状態にされている所定のチャンネルはスキップされて選局されない。
【００３２】
図９は、図１に示した本発明の一実施形態によるテレビジョン装置の所定のチャンネルについてシークレット選局機能をオン設定状態にする際の動作を説明するためのフロー図である。次に、図２〜図５および図９を参照して、本発明の一実施形態によるテレビジョン装置１のシークレット選局設定の動作について説明する。
【００３３】
まず、ステップＳ１において、図２に示す設定画面４ａからシークレット選局機能設定のオンボタンが選択されたか否かが判断され、選択されていない場合には、この判断が繰り返される。オンボタンが選択された場合には、ステップＳ２において、シークレット選局機能のパスワードが設定されているか否かが判断される。シークレット選局機能のパスワードが設定されている場合には、ステップＳ３において、図３に示すように、パスワード入力画面４ｂが表示され、ステップＳ４において、正しいパスワード（設定されているパスワード）が入力されてＯＫボタンが選択されたか否かが判断される。ユーザによって正しくないパスワード（設定されているパスワード以外のパスワード）が入力された場合には、そのまま動作が終了される。一方、ユーザによって正しいパスワードが入力された場合には、ステップＳ５において、図５に示すように、シークレット選局設定画面４ｄが表示される。次に、ステップＳ６において、ユーザがシークレット選局機能をオン設定状態、または、オフ設定状態に切り替えて更新ボタンが選択されたか否かが判断され、更新ボタンが選択されていない場合には、この判断が繰り返される。更新ボタンが選択された場合には、シークレット選局設定画面４ｄでのユーザの指示に基づいて、ステップＳ７において、チャンネルリスト記憶領域９ａのチャンネルリストデータのシークレット選局情報が書き換えられ、その結果、シークレット選局設定が行われて、動作が終了される。
【００３４】
ステップＳ２において、シークレット選局機能のパスワードが設定されていない場合には、ステップＳ８において、図４に示すように、パスワード登録画面４ｃが表示される。そして、ステップＳ９において、パスワードが入力されて更新ボタンが選択されたか否かが判断され、更新ボタンが選択されていない場合には、この判断が繰り返される。更新ボタンが選択された場合には、ステップＳ１０において、パスワード登録画面４ｃからユーザにより入力されたパスワードを、シークレット選局機能のパスワードとしてパスワード記憶領域９ｃに記憶され、その結果、パスワードが設定される。その後、ステップＳ３に移行され、図３に示すパスワード入力画面４ｂが表示される。
【００３５】
図１０は、図１に示した本発明の一実施形態によるテレビジョン装置のシークレット選局機能をオフ設定状態にする際の動作を説明するためのフロー図である。次に、図３、図６および図１０を参照して、本発明の一実施形態によるテレビジョン装置１のシークレット選局設定解除の動作について説明する。
【００３６】
まず、ステップＳ１１において、図６に示すように、設定画面４ａからシークレット選局機能設定のオフボタンが選択されたか否かが判断され、選択されていない場合には、この判断が繰り返される。オフボタンが選択された場合には、ステップＳ１２において、図３に示すように、パスワード入力画面４ｂが表示され、ステップＳ１３において、正しいパスワードが入力されて、ＯＫボタンが選択されたか否かが判断される。そして、正しくないパスワードが入力された場合には、そのまま動作が終了される。一方、正しいパスワードが入力された場合には、ステップＳ１４において、全てのチャンネルについてシークレット選局機能がオフ設定状態になるようにチャンネルリストデータが書き換えられ、その結果、シークレット選局設定が解除され、動作が終了される。
【００３７】
図１１は、図１に示した本発明の一実施形態によるテレビジョン装置のシークレット選局機能を一時解除する際の動作を説明するためのフロー図である。次に、図３、図７および図１１を参照して、本発明の一実施形態によるテレビジョン装置１のシークレット選局機能一時解除の動作について説明する。
【００３８】
まず、ステップＳ２１において、図７に示すように、設定画面４ａからシークレット選局機能設定の一時解除ボタンが選択されたか否かが判断され、選択されていない場合には、この判断が繰り返される。一時解除ボタンが選択された場合には、ステップＳ２２において、図３に示すように、パスワード入力画面４ｂが表示され、ステップＳ２３において、正しいパスワードが入力されて、ＯＫボタンが選択されたか否かが判断される。そして、正しくないパスワードが入力された場合には、そのまま動作が終了される。一方、正しいパスワードが入力された場合には、ステップＳ２４において、一時的にシークレット選局機能が解除される。これにより、ユーザはシークレット選局機能がオン設定状態にされているチャンネルであっても選局することが可能である。次に、ステップＳ２５において、ユーザによって設定画面４ａからシークレット選局機能設定のオンボタンが選択されたか否かが判断され、選択されていない場合には、ステップＳ２６において、テレビジョン装置１の電源がオフ状態に切り替えられたか、または、シークレット選局機能がオン設定状態にされていないチャンネルの視聴が開始されて所定時間が経過したかが判断される。これらのいずれでもない場合には、ステップＳ２４およびステップＳ２５の判断が繰り返される。一方、これらのうちのいずれかである場合には、ステップＳ２７において、シークレット選局機能がオン設定状態にされている所定のチャンネルが選局されないようにシークレット選局機能の一時解除が取り消され、動作が終了される。また、ステップＳ２５において、シークレット選局機能設定のオンボタンが選択された場合には、ステップＳ２８において、シークレット選局機能がオン設定状態にされている所定のチャンネルについて選局されない状態に戻され、動作が終了される。
【００３９】
本実施形態では、上記のように、表示部４に表示するチャンネルを、チャンネルのシークレット選局情報を含む１つのチャンネルリストデータに基づいて選局するように構成された入力部８およびリモコン５０と、１つのチャンネルリストデータに含まれるチャンネルのうち、所定のチャンネルが入力部８およびリモコン５０によって選局されないように、または、選局されるように、１つのチャンネルリストデータの所定のチャンネルのシークレット選局情報を切り替えることが可能なシークレット選局機能を有する制御部６とを設けることによって、別個のチャンネルリストデータを設けることなく、１つのチャンネルリストデータで所定のチャンネルを選局されないように、または、選局されるように切り替えることができる。これにより、入力部８およびリモコン５０を複数のチャンネルリストデータに対応させる必要がなく、入力部８およびリモコン５０は１つのチャンネルリストデータに対応するだけであるので、ユーザが入力部８およびリモコン５０によりチャンネルを選局する際に、チャンネル選局が紛らわしくならない。また、特定のユーザのみが、所定のチャンネルが入力部８およびリモコン５０によって選局されないように、または、選局されるように、１つのチャンネルリストデータの所定のチャンネルのシークレット選局情報を切り替え可能なように、制御部６が管理可能なように構成することによって、特定のユーザ以外の他のユーザはチャンネルのシークレット選局情報を切り替えることができないので、特定のユーザが所定のチャンネルが選局されないようにシークレット選局情報を切り替えた場合には、特定のユーザ以外の他のユーザは、所定のチャンネルが選局されるように切り替えることができない。その結果、所定のチャンネルを選局することができない。したがって、このテレビジョン装置１では、チャンネル選局が紛らわしくなることなく、特定のユーザ以外の他のユーザが所定のチャンネルを選局することができないように管理することができる。
【００４０】
また、本実施形態では、制御部６を、特定のユーザのみが、所定のチャンネルが入力部８およびリモコン５０によって選局されないように、または、選局されるように、１つのチャンネルリストデータの所定のチャンネルのシークレット選局情報を切り替え可能なように、パスワードによって管理可能に構成することによって、簡易な管理手段であるパスワードによって、特定のユーザのみが所定のチャンネルのシークレット選局情報を切り替え可能なように管理することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、表示装置の一例としてのテレビジョン装置に本発明を適用した例を示したが、本発明はこれに限らず、テレビジョン放送のチャンネルを選局可能な表示装置であれば、テレビジョン装置以外の他の表示装置にも適用可能である。
【００４３】
また、上記実施形態では、シークレット選局機能が一時的に解除された後、テレビジョン装置の電源がオフ状態にされた場合、または、シークレット選局機能がオン設定状態にされた所定のチャンネル以外のチャンネルが選局されて、所定時間が経過した場合に、シークレット選局機能の解除を取り消し、再度所定のチャンネルが選局されないように設定する例を示したが、本発明はこれに限らず、シークレット選局機能の一時解除が自動的に取り消される構成であれば、たとえば、シークレット選局機能が一時解除された後、所定のチャンネルから他のチャンネルに切り替えられた場合に、シークレット選局機能の解除を取り消し、所定のチャンネルが選局されないように設定する構成でもよい。
【００４４】
また、上記実施形態では、所定のチャンネルが選局されないように、または、選局されるように切り替え設定するのをパスワードによって管理する例を示したが、本発明はこれに限らず、特定のユーザのみが切り替え設定することができるように管理可能であれば、パスワード以外の他の管理手段を用いてもよい。
【図面の簡単な説明】
【００４５】
【図１】本発明の一実施形態によるテレビジョン装置の構成を説明するためのブロック図である。
【図２】図１に示した本発明の一実施形態によるテレビジョン装置の設定画面を示した図である。
【図３】図１に示した本発明の一実施形態によるテレビジョン装置のパスワード入力画面を示した図である。
【図４】図１に示した本発明の一実施形態によるテレビジョン装置のパスワード登録画面を示した図である。
【図５】図１に示した本発明の一実施形態によるテレビジョン装置のシークレット選局設定画面を示した図である。
【図６】図１に示した本発明の一実施形態によるテレビジョン装置の設定画面を示した図である。
【図７】図１に示した本発明の一実施形態によるテレビジョン装置の設定画面を示した図である。
【図８】図１に示した本発明の一実施形態によるテレビジョン装置の表示部にテレビジョン信号を受信していないチャンネルを表示した場合の画面を示した図である。
【図９】図１に示した本発明の一実施形態によるテレビジョン装置の所定のチャンネルについてシークレット選局機能をオン設定状態にする際の動作を説明するためのフロー図である。
【図１０】図１に示した本発明の一実施形態によるテレビジョン装置のシークレット選局機能をオフ設定状態にする際の動作を説明するためのフロー図である。
【図１１】図１に示した本発明の一実施形態によるテレビジョン装置のシークレット選局機能を一時解除する際の動作を説明するためのフロー図である。
【符号の説明】
【００４６】
１          テレビジョン装置（表示装置）
２          チューナユニット（受信部）
４          表示部
６          制御部
８          入力部（選局手段）
１１        電源部
５０        リモコン（選局手段）
【図１】
2009017095.tif 000003
【図２】
2009017095.tif 000004
【図３】
2009017095.tif 000005
【図４】
2009017095.tif 000006
【図５】
2009017095.tif 000007
【図６】
2009017095.tif 000008
【図７】
2009017095.tif 000009
【図８】
2009017095.tif 000010
【図９】
2009017095.tif 000011
【図１０】
2009017095.tif 000012
【図１１】
2009017095.tif 000013